(57)【要約】【課題】家具の引出しにおいて、桟の板材の接合における接合具の資材断面を小さくすることができ、桟の位置を自由度でよく、立体接合におけるすぐれた家具の引出し部の桟板材の接合具を提供する。【解決手段】樹脂薄板で構成したコ字状体の二個をお互いに直角に位置した中空Ｔ字形状にして、一面を空隙で、他面を樹脂面で占めて、空隙面を使用して、引出しの桟を直角的に固定できるようにしている引出し用間仕切り接合具。【選択図】図１
0003176383.tif 000002
【実用新案登録請求の範囲】
【請求項１】
樹脂薄板で構成したコ字状体の二個をお互いに直交的に接合した中空Ｔ字形状体にして、当該Ｔ字状体の一面を空隙で、他面を樹脂面で覆って、空隙面のＴ字体を使用して、引出し部の桟板を直角的に固定できるような樹脂製形状になっていることを特徴とする引出し用間仕切り桟板の接合具。
【請求項２】
樹脂薄板は、厚さ０．５〜２ｍｍのポリアミド、ポリエチレン、ポリプロピレン、ポリスチレン、ポリ塩化ビニールから選ばれた板状で、略コ字体の樹脂板の先端部を接合する桟板の挿入を容易にした細先状、或は棒状の形状になっていることを特徴とする請求項１に記載の引出し用間仕切り桟板の接合具。
【請求項３】
樹脂薄板の略コ字状体は、コの字の空隙部の幅を３〜１５ｍｍで、樹脂部の板状長さを２０〜６０ｍｍであって、二個の略コ字状体をお互いに直交的に接合したＴ字形状体で、一面を空隙で、他面を樹脂面で占めて、桟板の幅に対してコ字の板体の奥部で０．２〜１．５ｍｍ広く、先端部で０．２〜１．５ｍｍ狭くしていることを特徴とする請求項１又は請求項２に記載の引出し用間仕切り桟板の接合具。
【請求項４】
樹脂薄板で構成した略コ字状体の二個をお互いに直角に接合した中空Ｔ字形状体は、平面を長方体の上にコ字位置した形状、側面をコの字体の上に長方形の形状、正面を中空状Ｔ字の形状、裏面を厚型Ｔ字型の形状になって、前記平面部を使用して仕切り桟板を固定できるようになっていることを特徴とする請求項１〜請求項３のいずれに記載の引出し用間仕切り桟板の接合具。
【請求項５】
樹脂薄板で構成した中空Ｔ字形状体の接合具は、家具の引出し部の間仕切りにおいて長さ１００〜７００ｍｍ、高さ３０〜２５０ｍｍ、厚さ３〜１５ｍｍの桟板をＴ字体で固定できるようになっていることを特徴とする請求項１〜請求項４のいずれに記載の引出し用間仕切り桟板の接合具。
【考案の詳細な説明】
【技術分野】
【０００１】本考案は、仕切り板を自由に連結し、また、自由に稼動させることの出来る引出し用間仕切り桟板の接合具に関するものである。
【背景技術】
【０００２】従来、引出しの中に入れるカトラリートレイや間仕切り板は、スペースが決められる事により、使用者の用途におじて自由に仕切り位置を調整したり出来ない、また、板にサクリ加工してはめ込む為、加工を行なう上でも様々な加工の制限（特許文献１参照）がある等の問題があった。
【先行技術文献】
【０００３】
【特許文献１】特開２００２−１４２８８９
【考案の概要】
【考案が解決しようとする課題】
【０００４】家具の引出しにおいて、桟の板材の接合における接合具の木材断面を小さくすることができ、桟の位置を自由度にできて、簡単に素人でも接合できる優れた家具の引出部の桟板材の接合具を提供する。【０００５】家具の引出しにおいて、種々の物品を整理よく収納するには、引出し内を数個に区分することが必要である。その区分に桟板によって行う場合には、交差する板材の接合における接合具が必要である。この接合具は、小型化と、木材桟面を小さくすることと共に、位置に自由度を持たせて、引出しの内部の平面におけるコーディネーションに優れた家具の引出しを構築することができるかく桟板の接合具とこれを用いた家具の用具を提供することにある。【０００６】上記従来事情に鑑みてなされたものであり、その目的とする処は、桟板間の接続が極めて高い上、引出しの板材を損傷させることのない接続方法、構造を提供することにある。
【課題を解決するための手段】
【０００７】樹脂薄板で構成した略コ字状体の二個をお互いに直角に接合した中空Ｔ字形状体にして、一面を空隙で、他面を樹脂面で占めて、空隙面を使用して、引出しの桟を直角的に固定できるようにしている引出し用間仕切り桟板の接合具である。【０００８】樹脂薄板は、厚さ０．５〜２ｍｍのポリアミド、ポリエチレン、ポリプロピレン、ポリスチレン、ポリ塩化ビニールの板状で、コ字体の樹脂板の先端部を接合する桟板の挿入を容易な形状の細先状、或は棒状の形状になっている。【０００９】樹脂薄板の略コ字状体は、コの字の空間部の幅を３〜１５ｍｍで、樹脂部の板状長さを２０〜６０ｍｍであって、二個の略コ字状体をお互いに直交的に接合したＴ字形状体で、一面を空隙で、他面を樹脂面で占めて、桟板の幅に対してコ字の板体の奥部で０．２〜１．５ｍｍ広く、先端部で０．２〜１．５ｍｍ狭くしている。【００１０】家具の引出しの仕切り桟板を簡単に固定できるようにするために、樹脂薄板で構成した略コ字状体の二個をお互いにＴ字型に接合した中空Ｔ字形状体は、平面を長方体の上にコ字位置した形状、側面をコの字体の上に長方形の形状、正面を中空状Ｔ字の形状、裏面を厚型Ｔ字型の形状である。【００１１】樹脂薄板で構成した中空Ｔ字状接合具は、家具の引出しの間仕切りにおいて長さ１００〜１０００ｍｍ、高さ２０〜３００ｍｍ、厚さ３〜１５ｍｍの桟板に使用できるようになっている引出し用間仕切り桟板の接合具である。【００１２】樹脂薄板で構成した略コ字状体の二個をお互いに直角に固定した中空Ｔ字状は、平面を長方体の上にコ字位置した形状で、側面をコの字体の上に長方形の形状で、正面を中空状Ｔ字型の形状で、裏面を厚型Ｔ字型の形状になって、前記平面部を使用して仕切り桟板を接合できる。
【考案の効果】
【００１３】家具の引出部の間仕切りの桟板間に側板を介在させ、引出部の桟板間の接合が容易に、しかも自由の接合できる。この接合具によって、家具の引出で簡単に間仕切りができて、物品を整理よく、収納できるようになった。接合具と桟部材と枠部材の接続強度が向上され、木材からなる引出の部材が損傷することがない。
【図面の簡単な説明】
【００１４】
【図１】引出し用間仕切り桟板の接合具の斜視図
【図２】引出し用間仕切り桟板の接合具の図  ａ：正面  ｂ：側面
【図３】引出し用間仕切り桟板の接合具の図  ａ：上面（Ｔ字面）  ｂ：下面（使用面）
【図４】引出し用間仕切り桟板の接合具の使用面Ａ（仕切り使用平面図）
【図５】引出し用間仕切り桟板の接合具の使用図Ｂ（仕切り使用斜視図）
【考案を実施するための形態】
【００１５】樹脂薄板で構成したコ字状体の二個をお互いに直角に位置した中空Ｔ字状にして、一面を空隙で、他面を樹脂面で占めて、空隙面を使用して、引出の桟を直角的に固定できるようにしている引出用間仕切り桟板の接合具。
【実施例１】
【００１６】図１に示すように、樹脂薄板で構成したコ字状体の二個をお互いに直角に位置した中空Ｔ字状にして、一面を空隙で、他面を樹脂面で占めて、空隙面を使用した樹脂薄板は、厚さ１．５ｍｍのポリアミドの板状で、コ字体の樹脂板の先端部を接合する桟板の挿入を容易な形状の細先状にした。【００１７】樹脂薄板の略コ字状体は、コの字の空間部の幅を６．５ｍｍであって、樹脂部の板状長さを２０＊３５ｍｍと２５＊３５ｍｍとで、略コ字状体をお互いに二個の長方形で直角に接合したＴ字型形状で、一面を空隙で、他面を樹脂面で占めて、桟板の幅に対してコ字の板体の奥部で０．３ｍｍ広く、先端部で１ｍｍ狭くした。【００１８】樹脂薄板で構成した略コ字状体の二個をお互いに直角に接合した中空Ｔ字状は、平面を２０＊３５ｍｍの長方体の上に２５＊３５ｍｍの長方体を載せたコ字位置した形状、側面をコの字体の上に長方形の形状、正面を中空状Ｔ字型の形状、裏面を厚型Ｔ字型の形状になって、前記平面の空隙部を使用して仕切り桟板の接合を使用した。【００１９】樹脂薄板で構成した中空Ｔ字状接合具は、図４、５に示すように家具の引出部の間仕切りにおいて長さ５００ｍｍ、高さ５０ｍｍ、厚さ５ｍｍの桟板を接合する接合具になった。接合具を簡単に桟板に取り付けることができて、自由に移動することができた。
【実施例２】
【００２０】  図１に示すように、樹脂薄板で構成したコ字状体の二個をお互いに直角に位置した中空Ｔ字状にして、一面を空隙で、他面を樹脂面で占めて、空隙面を使用した樹脂薄板は、厚さ０．６ｍｍのポリアミドの板状で、コ字体の樹脂板の先端部を接合する桟板の挿入を容易な形状の細先状にした。【００２１】樹脂薄板の略コ字状体は、コの字の空間部の幅を４．５ｍｍであって、樹脂部の板状長さを２５＊３５ｍｍと２５＊３５ｍｍとで、略コ字状体をお互いに二個の長方形で直角に接合したＴ字型形状で、一面を空隙で、他面を樹脂面で占めて、桟板の幅に対してコ字の板体の奥部で０．２ｍｍ広く、先端部で０．５ｍｍ狭くした。【００２２】樹脂薄板で構成した略コ字状体の二個をお互いに直角に接合した中空Ｔ字状は、平面を２２＊３５ｍｍの長方体の上に２５＊３５ｍｍの長方体を載せたコ字位置した形状、側面をコの字体の上に長方形の形状、正面を中空状Ｔ字型の形状、裏面を厚型Ｔ字型の形状になって、前記平面の空隙部を使用して仕切り桟板の接合を使用した。【００２３】樹脂薄板で構成した中空Ｔ字状接合具は、図４、５に示すように家具の引出部の間仕切りにおいて長さ１０００ｍｍ、高さ１００ｍｍ、厚さ４．５ｍｍの桟板を接合する接合具になった。接合具を簡単に桟板に取り付けることができて、自由に移動することができた。
【実施例３】
【００２４】  図１に示すように、樹脂薄板で構成したコ字状体の二個をお互いに直角に位置した中空Ｔ字状にして、一面を空隙で、他面を樹脂面で占めて、空隙面を使用した樹脂薄板は、厚さ１ｍｍのポリ塩化ビニールの板状で、コ字体の樹脂板の先端部を接合する桟板の挿入を容易な形状の細先状にした。【００２５】樹脂薄板の略コ字状体は、コの字の空間部の幅を５ｍｍであって、樹脂部の板状長さを３５＊７０ｍｍと４０＊７０ｍｍとで、略コ字状体をお互いに二個の長方形で直角に接合したＴ字型形状で、一面を空隙で、他面を樹脂面で占めて、桟板の幅に対してコ字の板体の奥部で０．２ｍｍ広く、先端部で１．２ｍｍ狭くした。【００２６】樹脂薄板で構成した中空Ｔ字状接合具は、図４、５に示すように家具の引出部の間仕切りにおいて長さ３０５０ｍｍ、高さ１５０ｍｍ、厚さ５ｍｍの桟板を接合する接合具になった。接合具を簡単に桟板に取り付けることができて、自由に移動することができた。
【符号の説明】
【００２７】１  接合具
２  中空Ｔ字状
３  樹脂薄板
４  空間部
５  仕切り桟板
６  略コ字状体
【図１】
0003176383.tif 000003
【図２】
0003176383.tif 000004
【図３】
0003176383.tif 000005
【図４】
0003176383.tif 000006
【図５】
0003176383.tif 000007